(57)【特許請求の範囲】
【請求項１】
電気チルトアンテナのポートの配線順の自動検出方法であって、
アンテナの電気チルトユニットによって、前記電気チルトユニットに対応する電気チルトアンテナの電気ダウンチルト角を調節し、アンテナポートを介して、ｎ個の電気ダウンチルト角に対応する反射信号の所定のパラメーターを収集するステップと、
前記ｎ個の電気ダウンチルト角の反射信号の所定のパラメーターの数値及び所定の数理統計アルゴリズムに基づいて、前記所定のパラメーターの統計学特徴パラメーターを算出するステップと、
前記統計学特徴パラメーターの値が所定の閾値より大きい場合に、前記電気チルトアンテナのポートと基地局のチャネルとの間の配線順が正しいと確定するステップと
を含み、
ｎは、２より大きい正の整数であり、
前記統計学特徴パラメーターは、前記所定のパラメーターの分散度を表わす
方法。
【請求項２】
前記方法の前に、
前記基地局をダウンリンクアナログロードモードに設定するステップをさらに含む
請求項１に記載の方法。
【請求項３】
前記所定のパラメーターは、定在波比又は逆方向受信パワーを含む
請求項１に記載の方法。
【請求項４】
前記所定の閾値は、前記電気チルトアンテナのポートと前記基地局のチャネルとの間の正しい配線順に基づいて確定されたものである
請求項１〜３のいずれか１項に記載の方法。
【請求項５】
前記所定の数理統計アルゴリズムは、分散アルゴリズムを含み、
前記統計学特徴パラメーターは、分散値を含み、
前記ｎ個の電気ダウンチルト角の反射信号の所定のパラメーターの数値及び所定の数理統計アルゴリズムに基づいて、前記所定のパラメーターの統計学特徴パラメーターを算出するステップは、
前記ｎ個の電気ダウンチルト角の反射信号の所定のパラメーターの数値及び分散アルゴリズムに基づいて、前記所定のパラメーターの分散値を算出するステップを含む
請求項４に記載の方法。
【請求項６】
電気チルトアンテナのポートの配線順の自動検出装置であって、
アンテナの電気チルトユニットによって、前記電気チルトユニットに対応する電気チルトアンテナの電気ダウンチルト角を調節し、アンテナポートを介して、ｎ個の電気ダウンチルト角に対応する反射信号の所定のパラメーターを収集する収集ユニットと、
前記ｎ個の電気ダウンチルト角の反射信号の所定のパラメーターの数値及び所定の数理統計アルゴリズムに基づいて、前記所定のパラメーターの統計学特徴パラメーターを算出する計算ユニットと、
前記統計学特徴パラメーターの値が所定の閾値より大きい場合に、前記電気チルトアンテナのポートと基地局のチャネルとの間の配線順が正しいと確定する確定ユニットと
を備え、
ｎは、２より大きい正の整数であり、
前記統計学特徴パラメーターは、前記所定のパラメーターの分散度を表わす
装置。
【請求項７】
前記基地局をダウンリンクアナログロードモードに設定する設定ユニットをさらに備える
請求項６に記載の装置。
【請求項８】
前記所定のパラメーターは、定在波比又は逆方向受信パワーを含む
請求項６に記載の装置。
【請求項９】
前記所定の閾値は、前記電気チルトアンテナのポートと前記基地局のチャネルとの間の正しい配線順に基づいて確定されたものである
請求項６〜８のいずれか１項に記載の装置。
【請求項１０】
前記所定の数理統計アルゴリズムは、分散アルゴリズムを含み、
前記統計学特徴パラメーターは、分散値を含み、
前記計算ユニットは、
前記ｎ個の電気ダウンチルト角の反射信号の所定のパラメーターの数値及び分散アルゴリズムに基づいて、前記所定のパラメーターの分散値を算出するように構成される
請求項９に記載の装置。
【請求項１１】
請求項１〜５のいずれか１項に記載の方法を実行するためのコンピュータ実行可能な命令が記憶されている
コンピュータ記録媒体。
【発明の詳細な説明】
【技術分野】
【０００１】
本発明は、通信技術に関するが限定されず、特に電気チルトアンテナ配線順の検出方法及び装置に関する。
【背景技術】
【０００２】
無線通信システムでは、多くの無線キー技術がアンテナ設定と不可分である。例えば、多入力多出力技術（Ｍｕｌｔｉｐｌｅ−Ｉｎｐｕｔ  Ｍｕｌｔｉｐｌｅ−Ｏｕｔｐｕｔ，ＭＩＭＯ）とは、送信側及び受信側がそれぞれ複数の送信アンテナ及び受信アンテナを使用し、信号が送信側及び受信側の複数のアンテナを介して送受信されることであり、各送受信アンテナ間のチャネル応答が独立して関連性を有しない場合に、多入力多出力システムは複数の並行空間チャネルを作成して、通信品質を改善させることができる。マルチアンテナ伝送システムが低い空間関連性を有するために、応用では、一般的にアンテナ設定時に直交偏波アンテナ又は十分な空間間隔を有する複数の非偏波アンテナ等を使用する。
【０００３】
無線ネットワークでは、最も一般的に使用されるものは直交偏波アンテナ（二重偏波アンテナとも称される）であり、この直交偏波アンテナは、２つのポートを有し、それぞれ＋４５°及び−４５°偏波アレイに対応する。１つの二重偏波アンテナの場合、基地局と接続されるときには配線順上の論争が発生されない。しかし、２Ｔ４Ｒ基地局（２つの送信チャネル、４つの受信チャネル）、４Ｔ４Ｒ基地局（４つの送信チャネル、４つの受信チャネル）等のようなマルチチャネルを有する基地局が複数の二重偏波アンテナと接続されるときには、配線順上の不具合が存在する。例えば、２Ｔ４Ｒ基地局の場合、ダウンリンクがＴＭ３作動モード（マルチユーザＭＩＭＯの二重ストリームモード）で作動されるためには、基地局の２つの送信チャネルが同一の互いに直交する±４５°偏波アンテナ上に接続されて、送信チャネル間の関連性の弱い要件を満たすことを確保する必要がある。このようにして、信号が要件を満たす場合に、端末は高速なＴＭ３モードに入るように選ぶことができる。２つの送信チャネルが同じ偏波方向のアンテナ上に接続される場合には、送信チャネル間の関連性が強すぎるので、その結果、端末がＴＭ３モードで作動できず、データスループット性能が半分に削減され、無線ネットワークのキーパフォーマンスインディケーター（Ｋｅｙ  Ｐｅｒｆｏｒｍａｎｃｅ  Ｉｎｄｉｃａｔｏｒ，ＫＰＩ）が劣化され、カバー範囲が縮小され、ドロップ率が増加され、ハンドオーバの成功率が低下され、最終的に、ネットワーク品質に影響する。
【発明の概要】
【発明が解決しようとする課題】
【０００４】
現在の無線ネットワーク建設及びメンテナンスでは、アンテナ給電システムの不具合は往々にして発見されて位置決められにくく、一般的には、ステーションでの人工検査によって行うので、大量の人力や物力を消費し、エンジニアリング及びメンテナンスコストを増加させる。
【０００５】
以下は、本文で詳細に説明している主題の概要である。本概要は、特許請求の範囲を限定するものではない。
【０００６】
本発明は、ステーションでの人工検査を必要とせずに、エンジニアリング及びメンテナンスコストを効果的に低減できる、電気チルトアンテナ配線順の自動検出方法及び装置を提供する。
【課題を解決するための手段】
【０００７】
本発明の実施例によれば、電気チルトアンテナの配線順を自動的に検出する方法が提供され、前記方法は、
アンテナの電気チルトユニットによって、前記電気チルトユニットに対応する電気チルトアンテナの電気ダウンチルト角を調節し、アンテナポートを介して、ｎ個の電気ダウンチルト角に対応する反射信号の所定のパラメーターを収集するステップと、
前記ｎ個の電気ダウンチルト角の反射信号の所定のパラメーターの数値及び所定の数理統計アルゴリズムに基づいて、前記所定のパラメーターの統計学特徴パラメーターを算出するステップと、
前記統計学特徴パラメーターの値が所定の閾値より大きい場合に、前記電気チルトアンテナと基地局との間の配線順が正しいと確定するステップと、を含み、
ｎは、２より大きい正の整数であり、
前記統計学特徴パラメーターは、前記所定のパラメーターの分散度を表わす。
【０００８】
選択的に、前記方法の前に、前記方法は、
前記基地局をダウンリンクアナログロードモードに設定するステップをさらに含む。
【０００９】
選択的に、前記所定のパラメーターは、定在波比又は逆方向受信パワーを含む。
【００１０】
選択的に、前記所定の閾値は、前記電気チルトアンテナと前記基地局との間の正しい配線順に基づいて確定されたものである。
【００１１】
選択的に、前記所定の数理統計アルゴリズムは、分散アルゴリズムを含み、相応的に、
前記統計学特徴パラメーターは、分散値を含み、
前記ｎ個の電気ダウンチルト角の反射信号の所定のパラメーターの数値及び所定の数理統計アルゴリズムに基づいて、前記所定のパラメーターの統計学特徴パラメーターを算出するステップは、
前記ｎ個の電気ダウンチルト角の反射信号の所定のパラメーターの数値及び分散アルゴリズムに基づいて、前記所定のパラメーターの分散値を算出するステップを含む。
【００１２】
本発明の実施例によれば、電気チルトアンテナ配線順の自動検出装置が提供され、前記装置は、
アンテナの電気チルトユニットによって、前記電気チルトユニットに対応する電気チルトアンテナの電気ダウンチルト角を調節し、アンテナポートを介して、ｎ個の電気ダウンチルト角に対応する反射信号の所定のパラメーターを収集する収集ユニットと、
前記ｎ個の電気ダウンチルト角の反射信号の所定のパラメーターの数値及び所定の数理統計アルゴリズムに基づいて、前記所定のパラメーターの統計学特徴パラメーターを算出する計算ユニットと、
前記統計学特徴パラメーターの値が所定の閾値より大きい場合に、前記電気チルトアンテナと基地局との間の配線順が正しいと確定する確定ユニットと、を備え、
ｎは、２より大きい正の整数であり、
前記統計学特徴パラメーターは、前記所定のパラメーターの分散度を表わす。
【００１３】
選択的に、前記装置は、
前記基地局をダウンリンクアナログロードモードに設定する設定ユニットをさらに備える。
【００１４】
選択的に、前記所定のパラメーターは、定在波比又は逆方向受信パワーを含む。
【００１５】
選択的に、前記所定の閾値は、前記電気チルトアンテナと前記基地局との間の正しい配線順に基づいて確定されたものである。
【００１６】
選択的に、前記所定の数理統計アルゴリズムは、分散アルゴリズムを含み、相応的に、
前記統計学特徴パラメーターは、分散値を含み、
前記計算ユニットは、
前記ｎ個の電気ダウンチルト角の反射信号の所定のパラメーターの数値及び分散アルゴリズムに基づいて、前記所定のパラメーターの分散値を算出するように構成されてもよい。
【００１７】
本発明の実施例は、上記の方法を実行するためのコンピュータ実行可能な命令が記憶されているコンピュータ記録媒体をさらに提供する。
【００１８】
本発明の実施例によれば、電気チルトアンテナ配線順の自動検出方法及び装置が提供され、前記方法は、電気チルトユニットによって、前記電気チルトユニットに対応する電気チルトアンテナの電気ダウンチルト角を調節し、アンテナポートを介して、ｎ個の電気ダウンチルト角に対応する反射信号の所定のパラメーターを収集するステップと、前記ｎ個の電気ダウンチルト角の反射信号の所定のパラメーターの数値及び所定の数理統計アルゴリズムに基づいて、前記所定のパラメーターの統計学特徴パラメーターを算出するステップと、前記統計学特徴パラメーターの値が所定の閾値より大きい場合に、前記電気チルトアンテナと基地局との間の配線順が正しいと確定するステップと、を含み、ｎは、２より大きい正の整数であり、前記統計学特徴パラメーターは、前記所定のパラメーターの分散度を表わす。ステーションでの人工検査を必要とせずに、現在の基地局とアンテナとの配線順を遠隔で自動的に検出することで、アンテナ給電システムの不具合を発見して位置決めることができ、エンジニアリング及びメンテナンスコストを効果的に低減させることができる。
【００１９】
図面及び詳細な説明を読んで理解した後で、他の態様が分かる。
【図面の簡単な説明】
【００２０】
【図１】本発明の実施例に提供された電気チルトアンテナ配線順の自動検出方法のフローを示す模式図である。
【図２】本発明の実施例に提供された電気チルトアンテナ配線順の自動検出装置の構成を示す模式図である。
【図３ａ】配線順が正しい２Ｔ４Ｒ（２ウェイ送信、４ウェイ受信）基地局及び電気チルトアンテナからなるシステムである。
【図３ｂ】配線順が間違った２Ｔ４Ｒ（２ウェイ送信、４ウェイ受信）基地局及び電気チルトアンテナからなるシステムである。
【図４ａ】配線順が正しい４Ｔ４Ｒ（４ウェイ送信、４ウェイ受信）基地局及び電気チルトアンテナからなるシステムである。
【図４ｂ】配線順が間違った４Ｔ４Ｒ（４ウェイ送信、４ウェイ受信）基地局及び電気チルトアンテナからなるシステムである。
【発明を実施するための形態】
【００２１】
以下、図面を参照しながら本発明の実施例を詳細に説明する。なお、互いに衝突しない前提で、本願発明の実施例及び実施例における特徴を互いに任意に組み合わせてもよい。
【００２２】
図面のフローチャートに示すステップは、一連のコンピュータ実行可能な命令としてコンピュータシステムで実行することができる。また、フローチャートに論理順序を示しているが、場合によっては、こことは異なる順序で、示され又は説明されたステップを実行することもできる。
【００２３】
本発明の実施例では、電気チルトアンテナの電気ダウンチルト角を調節又は走査する場合、アンテナ素子間のアクティブ結合及び電気チルトユニットにおける位相シフターのＳパラメーター（注：Ｓパラメーターは、入射波と反射波との関係に基づくネットワークパラメーターであり、マイクロ波回路分析に適用され、デバイスポートの反射信号及びこのポートから別のポートへ伝送される信号によって回線網を描く）が変化するため、電気チルトアンテナの定在波又は逆方向パワーの変化を起こし、その後、この電気チルトアンテナに接続された基地局によってこの定在波又は逆方向受信パワーの変化を検出することで、基地局の送信ポートとアンテナのアンテナ給電ポートとの間の接続関係を判断する。
【００２４】
本発明の実施例によれば、基地局に用いられ、電気チルトアンテナ配線順の自動検出方法が提供され、図１に示すように、前記方法は、下記のステップを含む。
【００２５】
ステップ１００：基地局をダウンリンクアナログロードモードに設定する。
【００２６】
選択的に、ダウンリンクアナログロードモードは、実際のユーザ機器が基地局にアクセスすることを必要とせずに、基地局がユーザトラフィックデータをアナログして片道でＲＦ信号を送信し、ＲＦケーブル（ジャンパーワイヤ）を介してアンテナ給電ポートへ伝送し、アンテナ素子を介して空間へ放射する。
【００２７】
なお、本実施例では、ステップ１００はオプショナルなステップであり、ステップ１００を実行せずに、直接にステップ１０１を実行してもよい。
【００２８】
ステップ１０１：アンテナの電気チルトユニットを調節することによって、前記電気チルトユニットに対応する電気チルトアンテナの電気ダウンチルト角を調節し、アンテナポートを介して、ｎ個の電気ダウンチルト角に対応する反射信号の所定のパラメーターを収集し、ｎは、２より大きい正の整数である。
【００２９】
選択的に、電気チルトユニットによって前記電気チルトユニットに対応する電気チルトアンテナの電気ダウンチルト角を調節するステップは、インターナショナルアンテナ標準インターフェース及びプロトコル（Ａｉｒｃｒａｆｔ  Ｓｅｒｖｉｃｅ  Ｉｎｔｅｒｎａｔｉｏｎａｌ  Ｇｒｏｕｐ，ＡＳＩＧ）に従って行われ、基地局のＡＳＩＧインターフェースは、１つの遠隔制御ユニット（Ｒｅｍｏｔｅ  Ｃｏｎｔｒｏｌ  Ｕｎｉｔ，ＲＣＵ）を介してアンテナの電気チルトユニットと接続され、電気チルトユニットはアンテナの内部の位相シフター素子と接続される。
【００３０】
基地局ネットワーク管理センターは、基地局によって命令を遠隔制御ユニットＲＣＵに送信し、ＲＣＵは命令を受信した後に、内蔵モーターを起動させてアンテナの電気チルトユニットを動かし、位相シフター素子によってアンテナ素子の位相を変更することによって、各素子の放射場強度の垂直成分及び水平成分の振幅の大きさを変化させ、対応して空間で合成された放射方向図も変化するようになり、最後に、アンテナの垂直方向図におけるダウンチルト角に対する変更を達成する。
【００３１】
一般的に、１つの２列偏波電気チルトアンテナは、いずれも１つの独立した電気チルトユニットを備え、このように、Ｎ列のアンテナシステムに対しては、Ｎ／２個の二重偏波アンテナと見なすことができ、また、Ｎ／２個の独立した電気チルトユニットを備える。
【００３２】
電気ダウンチルト角が一定の角度ステッピングでトラバースされるように、Ｎ列のアンテナに対して、属しているｍ（ｍ＝１．．Ｎ／２）番目の電気チルトユニットを順次に調節し、基地局は、異なる電気ダウンチルト角になる際の各電気チルトユニットの送信チャネルに対応する反射信号（逆方向受信信号とも称される）の所定のパラメーターをそれぞれ収集し、サンプリングを複数回行って記録を統計する。選択的に、所定のパラメーターは、基地局の送信チャネルの定在波比又は逆方向受信パワーであってもよい。このようにして、電気チルトユニット、電気ダウンチルト角及び基地局の送信チャネルの定在波比又は逆方向受信パワーに関するデータテーブルを得ることができる。
【００３３】
アンテナ電気ダウンチルト角のトラバース範囲は、検出の動的範囲を表わすことを考慮するとともに、ネットワーク信号のカバーに与える影響を考慮する必要があるので、電気ダウンチルト角のトラバース範囲は、実際の条件とネットワークに与える影響とのバランスを考慮して決定することができる。
【００３４】
ステップ１０２：前記ｎ個の電気ダウンチルト角の反射信号の所定のパラメーターの数値及び所定の数理統計アルゴリズムに基づいて、前記所定のパラメーターの統計学特徴パラメーターを算出し、前記統計学特徴パラメーターは、前記所定のパラメーターの分散度を表わすためのものである。
【００３５】
選択的に、前記所定の数理統計アルゴリズムは、分散アルゴリズムを含み、相応的に、
前記統計学特徴パラメーターは、分散値を含み、
ステップ１０２は、前記ｎ個の電気ダウンチルト角の反射信号の所定のパラメーターの数値及び分散アルゴリズムに基づいて、前記所定のパラメーターの分散値を算出することにしてもよい。
【００３６】
なお、ｎ個の電気ダウンチルト角のうちの各電気ダウンチルト角について、同一の電気ダウンチルト角の反射信号の所定のパラメーターの値を複数回収集してから平均値を求めてこの電気ダウンチルト角の反射信号の所定のパラメーターの値とし、これらのｎ個の平均値に対して、所定の数理統計アルゴリズム（例えば、分散アルゴリズム）に基づいて分散値を算出することができる。この分散値は、これらのｎ個の平均値の分散度を具現化することができる。
【００３７】
例示的に、ｎ＝４であって、１乃至４番目の電気ダウンチルト角がそれぞれ１°、３°、５°、７°であるものとし、これらの４つの電気ダウンチルト角に対応する４つの反射信号の定在波比の値（各電気ダウンチルト角についてｍ回収集して平均化した値であってもよい）を収集してから、これらの４つの値の分散値を算出する。この分散値は、４つの平均値の分散度を具現化することができる。
【００３８】
ステップ１０３：前記統計学特徴パラメーターの値が所定の閾値より大きい場合に、前記電気チルトアンテナと前記基地局との間の配線順が正しいと確定する。
【００３９】
選択的に、前記所定の閾値は、前記電気チルトアンテナと前記基地局との間の正しい配線順に基づいて確定されたものである。
【００４０】
なお、本発明の実施例に記載の所定の閾値は、当業者が実際の仕事経験や測定からまとめたものであってもよい。
【００４１】
本発明の実施例に提供された電気チルトアンテナ配線順の自動検出方法によれば、電気チルトユニットによって、前記電気チルトユニットに対応する電気チルトアンテナの電気ダウンチルト角を調節し、アンテナポートを介して、ｎ個の電気ダウンチルト角に対応する反射信号の所定のパラメーターを収集し、前記ｎ個の電気ダウンチルト角の反射信号の所定のパラメーターの数値及び所定の数理統計アルゴリズムに基づいて、前記所定のパラメーターの統計学特徴パラメーターを算出し、前記統計学特徴パラメーターの値が所定の閾値より大きい場合に、前記電気チルトアンテナと基地局との間の配線順が正しいと確定する。ここで、Ｎは、２より大きい正の整数である。前記統計学特徴パラメーターは、前記所定のパラメーターの分散度を表わすように設置される。ステーションでの人工検査を必要とせずに、現在の基地局とアンテナとの配線順を遠隔で自動的に検出することで、アンテナ給電システムの不具合を発見して位置決めることができ、プロジェクト及びメンテナンスコストを効果的に低減させることができる。
【００４２】
本発明の実施例は、上記の方法を実行するためのコンピュータ実行可能な命令が記憶されるコンピュータ記録媒体をさらに提供する。
【００４３】
本発明の実施例によれば、電気チルトアンテナ配線順の自動検出装置１０がさらに提供され、図２に示すように、前記装置１０は、下記のユニットを備える。
【００４４】
収集ユニット１１は、アンテナの電気チルトユニットによって、前記電気チルトユニットに対応する電気チルトアンテナの電気ダウンチルト角を調節し、アンテナポートを介して、ｎ個の電気ダウンチルト角に対応する反射信号の所定のパラメーターを収集するように構成され、ｎは、２より大きい正の整数である。
【００４５】
計算ユニット１２は、前記ｎ個の電気ダウンチルト角の反射信号の所定のパラメーターの数値及び所定の数理統計アルゴリズムに基づいて、前記所定のパラメーターの統計学特徴パラメーターを算出するように構成され、前記統計学特徴パラメーターは、前記所定のパラメーターの分散度を表わすためのものである。
【００４６】
確定ユニット１３は、前記統計学特徴パラメーターの値が所定の閾値より大きい場合に、前記電気チルトアンテナと基地局との間の配線順が正しいと確定するように構成される。
【００４７】
選択的に、図２に示すように、前記装置１０は、下記のユニットをさらに備えてもよい。
【００４８】
設定ユニット１４は、前記基地局をダウンリンクアナログロードモードに設定するように設置される。
【００４９】
選択的に、前記所定のパラメーターは、定在波比又は逆方向受信パワーを含む。
【００５０】
選択的に、前記所定の閾値は、前記電気チルトアンテナと前記基地局との間の正しい配線順に基づいて確定されたものである。
【００５１】
選択的に、前記所定の数理統計アルゴリズムは、分散アルゴリズムを含み、相応的に、
前記統計学特徴パラメーターは、分散値を含み、
前記計算ユニット１３は、
前記ｎ個の電気ダウンチルト角の反射信号の所定のパラメーターの数値及び分散アルゴリズムに基づいて、前記所定のパラメーターの分散値を算出するように構成されてもよい。
【００５２】
本実施例は、上記の方法の実施例を実現するためのもので、本実施例における各ユニットの作動フロー及び作動原理については、上記の方法の実施例の説明を参照でき、ここでは、詳細な説明を省略する。
【００５３】
本発明の実施例に提供された電気チルトアンテナ配線順の自動検出装置によれば、電気チルトユニットによって、前記電気チルトユニットに対応する電気チルトアンテナの電気ダウンチルト角を調節し、アンテナポートを介して、ｎ個の電気ダウンチルト角に対応する反射信号の所定のパラメーターを収集し、ｎは、２より大きい正の整数であり、前記ｎ個の電気ダウンチルト角の反射信号の所定のパラメーターの数値及び所定の数理統計アルゴリズムに基づいて、前記所定のパラメーターの統計学特徴パラメーターを算出し、前記統計学特徴パラメーターは、前記所定のパラメーターの分散度を表わすためのものであり、前記統計学特徴パラメーターの値が所定の閾値より大きい場合に、前記電気チルトアンテナと基地局との間の配線順が正しいと確定し、ステーションでの人工検査を必要とせずに、現在の基地局とアンテナとの配線順を遠隔で自動的に検出することで、アンテナ給電システムの不具合を発見して決めることができ、プロジェクト及びメンテナンスコストを効果的に低減させることができる。
【００５４】
以下、当業者が本発明に提供された技術手段をより明確に理解できるように、具体的な実施例を介して本発明に提供された技術手段を詳細に説明する。
実施例１
【００５５】
本実施例において、上記の方法の実施例を併せて電気チルトアンテナ配線順の自動検出方法についての具体的な説明は、下記のようである。
【００５６】
図３ａに示すように、２Ｔ４Ｒ基地局及び２つの二重偏波電気チルトアンテナからなるシステムを例として挙げる。
【００５７】
具体的な接続関係は、下記のようである。二重偏波アンテナは、アンテナ素子群２０１、位相シフターネットワーク２０２及び電気チルトユニット２０３、２０４からなっている。電気チルトユニット２０３、２０４は、電気チルトインターフェース２０５を介して外部遠隔制御ユニット（ＲＣＵ）２０６の制御ポートと接続されるように設置され、ＲＣＵは、カスケード機能を有し、カスケードポートを介して別のＲＣＵ機器とカスケードすることができる。遠隔制御ユニット（ＲＣＵ）２０６の制御側は、信号ケーブルを介して基地局のＡＳＩＧインターフェース２０７と接続され、基地局のＲＦポート（ＣＨ１／ＣＨ２／ＣＨ３／ＣＨ４）は、それぞれＲＦケーブルを介して偏波アンテナのアンテナ給電ポート（ＡＮＴ１／ＡＮＴ２／ＡＮＴ３／ＡＮＴ４）と接続される。ここで、ＣＨ１、ＣＨ２、ＣＨ３及びＣＨ４が、それぞれ基地局の送受信チャネルＴＸ１／ＲＸ１、受信チャネルＲＸ３、受信チャネルＲＸ４及び送受信チャネルＴＸ２／ＲＸ２に対応すると定義する。２Ｔ４Ｒ基地局の設定要件に従って、送信チャネル及びアンテナポートの配線順について、ＡＮＴ１がＣＨ１（ＴＸ１／ＲＸ１）と接続し、ＡＮＴ２がＣＨ４（ＴＸ２／ＲＸ２）と接続される要件がある。最後に、基地局ネットワーク管理センターは、基地局と接続されて、基地局及び電気チルトアンテに対して設定を行う。
【００５８】
本実施例における具体的なステップは下記のようである。
【００５９】
ステップ１、基地局がダウンリンクアナログロードモードで作動する。
【００６０】
基地局ネットワーク管理センターによって、基地局をダウンリンクアナログロードモードに遠隔設定して、ユーザトラフィックをアナログしてデータを送信し、その目的は、基地局が定在波比又は逆方向パワーを測定する実際の場面を具現化するためのものである。
【００６１】
ステップ２、電気チルトアンテナの電気ダウンチルト角を設定し、送信チャネルＣＨ１及びＣＨ４の定在波比又は逆方向受信パワーを収集して統計する。
【００６２】
基地局が正常に作動すると、基地局ネットワーク管理センターは、基地局のＡＳＩＧインターフェース２０７を介して遠隔制御ユニット２０６に電気ダウンチルト角を設定する命令を送信し、遠隔制御ユニット２０６が命令を受信すると、モーターが回転してアンテナの電気チルトユニット２０３、２０４を動かして、位相シフターネットワーク２０２に対する操作を完成し、これによって、アンテナ素子群２０１の位相を変更して、アンテナの垂直方向図におけるダウンチルト角の変更を実現できる。
【００６３】
電気チルトユニットが電気ダウンチルト角を１回調節するたびに、送信チャネルＣＨ１及びＣＨ４の定在波比（ＶＳＷＲ＿ＴＸ１／ＶＳＷＲ＿ＴＸ２）又は逆方向受信パワー（ＲＥＶ＿ＴＸ１／ＲＥＶ＿ＴＸ２）を収集して統計し、一定のステッピング（１度を例とする）に従って電気ダウンチルト角をトラバースして、電気チルトＡ、電気チルトＢがそれぞれ変化する際の送信チャネルＣＨ１及びＣＨ４にそれぞれ対応する定在波比又は逆方向受信パワーを得ることができる。例えば、表１に示すようである。
【００６４】
【表１】
0006456523.tif 000002
【００６５】
ステップ３、電気ダウンチルト角が変化する際の送信チャネルの定在波比又は逆方向受信パワーの統計学特徴パラメーターを算出する。
【００６６】
ステップ２で得られたテーブルに対して合理的なデータ処理分析を行うことによって、電気チルトユニット（以下、単に電気チルトと称する）Ａにより電気ダウンチルト角を調節する際の送信チャネルＣＨ１及びＣＨ４の定在波比又は逆方向受信パワーの統計学特徴パラメーター（例えば、分散値）△ＴＸ１＿Ａ及び△ＴＸ２＿Ａと、電気チルトＢにより電気ダウンチルト角を調節する際の送信チャネルＣＨ１及びＣＨ４の定在波比又は逆方向受信パワーの統計学特徴パラメーター△ＴＸ１＿Ｂ及び△ＴＸ２＿Ｂとを得ることができる。上記の統計学特徴パラメーターが真に反映されるのは、電気ダウンチルト角の変化によって起こされたものである。
【００６７】
ステップ４、アンテナの配線順の設定要件及び所定の閾値に基づいて、ステップ３で得られた４つの統計学特徴パラメーターを判定して、アンテナの配線順の当否を判断する。
【００６８】
本システムによれば、所定の閾値Ｘを設定して、ステップ３で得られた４つの変化量と比較すると、下記の表２に示す結果が得られる。
【００６９】
【表２】
0006456523.tif 000003
【００７０】
選択的に、表３に示す２Ｔ４Ｒアンテナ設定要件に従って、
【００７１】
【表３】
0006456523.tif 000004
【００７２】
下記の表４に示す判定することができる。
【００７３】
【表４】
0006456523.tif 000005
【００７４】
上記の判断に基づき、ＣＨ１及びＣＨ４は、同一の電気チルトユニットＡの２列の偏波アンテナアレイに接続され、図３ａにおける接続が２Ｔ４Ｒシステムのアンテナ設定要件を満たしているので、電気チルトアンテナと基地局との間の配線順が正しいと判定する。
実施例２
【００７５】
図３ｂに示すネットワーク設定システムも同様に、実施例１で説明されたステップ１、２、３、４に従って、下記の表５に示す結果が得られる。
【００７６】
【表５】
0006456523.tif 000006
【００７７】
選択的に、実施例２で示す２Ｔ４Ｒアンテナ設定要件に従って、下記の表６に示す判定することができる。       
【００７８】
【表６】
0006456523.tif 000007
【００７９】
上記の判断に基づき、ＣＨ１は電気チルトＡが存在するアンテナアレイに接続し、ＣＨ４は電気チルトＢが存在するアンテナアレイに接続される。しかし、アンテナ設定について、２つの送信チャネルが必ず同一のアンテナ上にある要件があり、図３ｂにおける接続が２Ｔ４Ｒシステムのアンテナ設定要件を満たさないので、電気チルトアンテナと基地局との間の配線順が間違うと判定する。
実施例３
【００８０】
図４ａに示すネットワーク設定システムも同様に、実施例１に説明されたステップ１、２、３、４に従って、下記の表７に示す結果が得られる。
【００８１】
【表７】
0006456523.tif 000008
【００８２】
選択的に、下記の表８に示す４Ｔ４Ｒアンテナ設定要件に従って、
【００８３】
【表８】
0006456523.tif 000009
【００８４】
下記の表９に示すように判定することができる。
【００８５】
【表９】
0006456523.tif 000010
【００８６】
上記の判断に基づき、ＣＨ１、ＣＨ２は電気チルトＡが存在するアンテナアレイに接続し、ＣＨ３、ＣＨ４は電気チルトＢが存在するアンテナアレイに接続される。図４ａにおける接続は４Ｔ４Ｒシステムのアンテナ設定要件を満たしているので、電気チルトアンテナと基地局との間の配線順が正しいと判定する。
実施例４
【００８７】
図４ｂに示すネットワーク設定システムも同様に、実施例１に説明されたステップ１、２、３、４に従って、下記の表１０に示す結果が得られる。
【００８８】
【表１０】
0006456523.tif 000011
【００８９】
選択的に、実施例３で示す４Ｔ４Ｒアンテナ設定要件に従って、下記の表１１に示すように判定することができる。
【００９０】
【表１１】
0006456523.tif 000012
【００９１】
上記の判断に基づき、ＣＨ１、ＣＨ３は電気チルトＡが存在するアンテナアレイに接続し、ＣＨ２、ＣＨ４は電気チルトＢが存在するアンテナアレイに接続される。図４ｂにおける接続は４Ｔ４Ｒシステムのアンテナ設定要件を満たさないので、電気チルトアンテナと基地局との間の配線順が間違うと判定する。
【００９２】
本発明の実施例によれば、電気チルトアンテナの電気チルト調節がアンテナの定在波比又は逆方向受信パワーを変更する特性を利用した電気チルトアンテナ配線順の自動検出方法及び装置が提供され、当該方法及び装置は、マルチチャネル基地局とアンテナシステムとの間のケーブルの配線順を自動的に識別して診断するように構成されるべきである。各電気チルトアンテナの電気チルトユニットを順次設定することによって、電気ダウンチルト角を変更するとともに、基地局が各送信チャネルの逆方向受信パワー又は定在波比の値を収集して、所定の数理統計アルゴリズムに基づいて各送信チャネルの逆方向受信パワー又は定在波比の統計学特徴パラメーターを算出し、その後、各チャネルに対応する統計学特徴パラメーターがある所定の閾値より大きい場合に、このチャネルとこの電気チルトユニットが存在するアンテナ側のポートとが接続されると判定し、最後に、システムのアンテナ設定要件に基づいて、マルチチャネル基地局とアンテナシステムとの間のケーブルの配線順の当否を判定する。本発明の実施例に提供された技術手段によれば、ネットワークプロジェクトの配備、ネットワーク最適化及びネットワークプランニングの人工コストを効果的に低減し、ネットワーク配信速度を向上させて、ネットワーク品質及びユーザの満足度を向上させることができる。
【００９３】
上記に説明された装置の実施例は例示にすぎず、例えば、モジュールの区画は論理機能の区画にすぎず、実際に実現するときには他の区画方法を有してもよい。また、表示又は検討しているモジュール同士の接続は、あるインターフェース、又は、電気的、機械的又は他の形式によって接続されてもよい。前記各モジュールは、物理的に離間したものであってもよいが、物理的に離間したものでなくてもよく、物理的ユニットであってもよいが、物理的ユニットでなくてもい。実際の要求に応じて、その中の一部又は全部のモジュールを選んで本実施形態の目的を実現することができる。
【００９４】
また、本発明の実施例における各機能モジュールは、１つの処理モジュールに集積されてもよく、別個で物理的な各モジュールとしてもよく、或いは、２つ以上のモジュールが１つのモジュールに集積されてもよい。上記の集積されたモジュールは、ハードウェアによって実現されてもよく、ハードウェアとソフトウェアの機能モジュールを組み合わせたことによって実現されてもよい。
【００９５】
上記のソフトウェア機能ユニットによって実現された集積モジュールは、コンピュータ読み取り可能な記録媒体に記憶することができる。上記のソフトウェア機能モジュールは、記録媒体に記憶され、コンピュータ装置（パーソナルコンピュータ、サーバ、又はネットワーク装置等であってもよい）に本発明の実施例に記載の前記方法の部分ステップを実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク、又は光ディスク等のプログラムコードを記憶可能な様々な媒体を含む。
【００９６】
以上は、本発明の具体的な実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。したがって、本発明の範囲は、特許請求の範囲により示される。
【産業上の利用可能性】
【００９７】
上記の技術手段によれば、ステーションでの人工検査を必要とせずに、現在の基地局とアンテナとの配線順を遠隔で自動的に検出することで、アンテナ給電システムの不具合を発見して位置決めることができ、プロジェクト及びメンテナンスコストを効果的に低減できる。 
【図１】
0006456523.tif 000013
【図２】
0006456523.tif 000014
【図３ａ】
0006456523.tif 000015
【図３ｂ】
0006456523.tif 000016
【図４ａ】
0006456523.tif 000017
【図４ｂ】
0006456523.tif 000018